(57)【要約】【課題】本体キャビネットの機械室内に収容した冷凍機ユニットの取付け，点検，交換作業が楽に行え、さらに商品補充時に踏み台，あるいは商品を載せる作業台などとして利用する引出し式のユーティリティ受台を併設できるように機械室内部を改良する。【解決手段】本体キャビネット１の底部側に機械室を画成して冷凍機ユニット７を収容した自動販売機において、前記機械室には、冷凍機ユニット７を搭載する上段側受台１２と、商品の補給時に踏み台などとして使用するユーティリティの下段側受台１３と、基板２の上に固定して前記受台１２，１３との間をスライド機構を介して連繋した台座１１とからなる二階建ての引出し式受台ユニット１０を装備する。【選択図】図１
2011164697.tif 000002
【特許請求の範囲】
【請求項１】
本体キャビネットの底部側に機械室を画成して庫内保冷用の冷凍機ユニットを収容した自動販売機において、
前記機械室に、冷凍機ユニットを搭載する受台と、踏み台などとして使用するユーティリティ受台を上下段に組み合わせて前記各受台を選択的に前方へ引出し可能に構築した二階建ての引出し式受台ユニットを装備したことを特徴とする自動販売機。
【請求項２】
請求項１に記載の自動販売機において、引出し式受台ユニットが、本体キャビネットの基台上に載置固定した台座と、該台座に連繋して前方へ引出し可能に組み付けた上段側受台と下段側受台との組立体からなることを特徴とする自動販売機。
【請求項３】
請求項２に記載の自動販売機において、台座，上段側受台，下段側受台の各部材の間を、前後方向に沿って部材側壁に形成したガイド溝と、該ガイド溝に嵌入して受台の側壁に取付けたガイドピンからなるスライド機構を介して相互連繋したことを特徴とする自動販売機。
【発明の詳細な説明】
【技術分野】
【０００１】
この発明は、缶，紙パック入りコールド飲料商品などを販売する自動販売機に関し、詳しくはその本体キャビネットの底部側に画成した機械室の内部構造に係わる。
【背景技術】
【０００２】
周知のように頭記の自動販売機は、その本体キャビネットの底部側に機械室を画成して、この機械室に商品収納庫内を保冷する冷凍機ユニット（冷凍機のコンデンシングユニット），電装品ボックスなどを収容しており、従来では前記冷凍機ユニットを本体キャビネットのベース基台の上に直接載置してボルトで基台に締結固定している。
一方、たばこ等の自動販売機などについて、本体キャビネットの底部側に画成した格納室に商品の補充作業（ローディング）の際に利用する引出し式の踏み台を装備した構成が知られている（例えば、特許文献１参照）。
【先行技術文献】
【特許文献】
【０００３】
【特許文献１】特開平６−２７４７５２号公報
【発明の概要】
【発明が解決しようとする課題】
【０００４】
ところで、前記したコールド飲料商品の自動販売機のように、本体キャビネットの機械室内に収容した冷凍機ユニットを本体キャビネットの基板の上に直接載せてボルト止めした従来の取付け構造では次記のような問題点がある。
すなわち、冷凍機ユニットの機内取付け，点検，交換などの作業に際して重量物である冷凍機ユニットを機械室に出し入れするには、本体キャビネットの塗装面を傷付けないように配慮して保護シートを敷いて作業を行うほか、限られた狭いスペースの機械室内に手を差し入れて冷凍機ユニットのボルト締め操作を行うことは作業性がすこぶる悪い。
また、缶，ビン商品の自動販売機では商品収納庫の庫内に例えばサーペンタイン式商品収納ラックを搭載し、その最上段に開口する商品投入口から商品をローディングするようにしている。このために、自動販売機のロケーション先でユーザーが商品を補給する際の利便性を考慮して、特許文献１に開示されているような踏み台を本体キャビネットの機械室内に備える要望があるが、従来の自動販売機では機械室内で基台の上に冷凍機ユニットが固定的に設置されているため、このままでは機械室内に冷凍機ユニットが障害物となって引出し式の踏み台を併設することができない。
この発明は上記の点に鑑みなされたものであり、その目的は前記課題を解決して本体キャビネットの機械室内に収容した冷凍機ユニットの取付け，点検，交換作業が楽に行え、さらに商品補充時に踏み台，あるいは補充商品を一時的に載せる作業台などとして利用する引出し式のユーティリティ受台を併設できるように機械室の内部構造を改良した自動販売機を提供することにある。
【課題を解決するための手段】
【０００５】
上記目的を達成するために、この発明によれば、本体キャビネットの底部側に機械室を画成して商品収納庫内保冷用の冷凍機ユニットを収容した自動販売機において、
前記機械室に、冷凍機ユニットを搭載する受台と、商品の補給時に踏み台などとして使用するユーティリティ受台を上下段に組み合わせて前記各受台を選択的に前方へ引出し可能に構築した二階建ての引出し式受台ユニットを装備するものとし（請求項１）、その受台ユニットは具体的に次記のような態様で構成することができる。
（１）前記引出し式受台ユニットを、本体キャビネットの基台上に載置固定した台座と、該台座に連繋して前方へ引出し可能に組み付けた上段側受台と下段側受台との組立体から構成する（請求項２）。
（２）前項（１）において、台座，上段側受台，下段側受台の各部材の間を、前後方向に沿って部材側壁に形成したガイド溝と、該ガイド溝に嵌入して受台の側壁に取付けたガイドピンからなるスライド機構を介して相互連繋する（請求項３）。
【発明の効果】
【０００６】
上記の構成によれば、本体キャビネットの底部側に画成した機械室の限られたスペース内に冷凍機ユニット，およびユーティリティ受台を二階建てにしてスペース効率よく収容することができる。しかも、この引出し式受台ユニットは上段側，下段側の各受台が選択的に前方へ引出し可能な構造で構築したしたことにより、冷凍機ユニットの機内取付け，点検，交換作業時には、冷凍機ユニットを搭載する上段側受台を機械室の前方に引出すことで広い作業スペースを確保できる。また自動販売機のロケーション先で商品を補給する際には、ユーティリティ受台を前方に引き出すことで踏み台，あるいは補充商品を一時的に載せておく置き台として利用することができてユーザーの利便性向上が図れる。
【図面の簡単な説明】
【０００７】
【図１】この発明の実施例による引出し式受台ユニットの構造を表す図であって、（ａ），（ｂ）はそれぞれ正面図，側面図である。
【図２】図１の引出し式受台ユニットを装備した自動販売機の外観斜視図である。
【図３】図１の引出し式受台ユニットから、冷凍機ユニットを搭載した上段側受台を前方に引出した状態を表す側視図である。
【図４】図１の引出し式受台ユニットから、下段側のユーティリティ受台を前方に引出した状態を表す側視図である。
【図５】図１の引出し式受台ユニットから、下段側のユーティリティ受台を本体キャビネットの前方位置までいっぱいに引出した状態を表す側視図である。
【発明を実施するための形態】
【０００８】
以下、この発明の実施の形態を図１〜図５に示す実施例に基づいて説明する。
まず、この発明による引出し式受台ユニットを本体キャビネットの機械室内に装備した自動販売機を図２に示す。図において、１は自動販売機の本体キャビネット、２は本体キャビネット１の基板（ベース板）、３は基板２の四隅に植設したレベリングスクリュー、４は商品収納庫の庫内底部仕切壁、５は商品収納庫内に収設した商品収納ラック、６は商品収納ラック５から搬出した商品を外扉（不図示）の商品取出口に送出する商品搬出シュータ、７は本体キャビネット１の基板２と前記の庫内底部仕切壁４との間に画成した機械室に収容した冷凍機ユニット、８は冷凍機ユニット７の側方に並べて機械室内に設置した電装品ボックス、９は外扉を開放位置に掛け止めするストッパ棒の受座、１０はこの発明による引出し式受台ユニットである。この引出し式受台ユニットは板金製で、冷凍機ユニット７を搭載する受台と、踏み台などとして使用するユーティリティ受台を上下段に組み合わせて前記各受台を選択的に前方へ引出し可能に構築した二階建て構造になり、次にその組立構造を図１で説明する。
図１（ａ），（ｂ）において、引出し式受台ユニット１０は、本体キャビネット１の基板２の上に載置して固定（ねじ止め）したＵチャンネル形状になる左右一対の台座１１と、冷凍機ユニット７を搭載する上段側受台１２と、踏み台などのユーティリティ台として機能する下段側受台１３との組立体になり、前記台座１１に対してその上方に二階建て式に配した上段側受台１２と下段側受台１３が次記のスライド機構を介して前方へ引出し可能に連繋されている。
【０００９】
すなわち、基板２に固定した受座１１の外側壁面には前後方向に沿ってスリット状のガイド溝１１ａが形成されており、そのガイド溝１１ａは後端が下向きに屈曲している。
一方、上段側受台１２は断面が逆Ｕ字形の板金構造体で前記した左右一対の受座１１の上に跨がって配置され、その左右側壁の後端部に植設したガイドピン１２ａを前記ガイド溝１１ａに嵌入して矢印Ｐの前後方向へスライド可能に案内支持している。また、前記ガイド溝１１ａと平行して左右側壁の上部側には前端が下向きに屈曲したガイド溝１２ｂが形成されている。そして、上段側受台１２の内側に下段側受台１３が格納されている。
この下段側受台１３は浅いトレー形状になり、その左右側壁の後端部に植設したガイドピン１３ａを上段側受台１２のガイド溝１２ｂに嵌入してスライド可能に案内支持されている。また受台１３の前端には基板２の上面に向けて垂下延在する前面壁が形成されている。なお、この下段側受台１３の前面壁の内側には図５に示すような折り畳み式の支持脚１３ｂを備えている。
次に上記構成になる引出し式受台ユニット１０の機能，操作を図３〜図５により説明する。まず、平時は図１（ｂ）のように引出し式受台ユニット１０の上段側受台１２，および下段側受台１３が機械室内の奥に押し込んで格納され、かつ上段側受台１２のガイドピン１２ａが受座１１に形成したガイド溝１１ａの後端に落ち込んでこの位置に係止保持されている。また、上段側受台１２に搭載した冷凍機ユニット７は冷媒配管を介して商品収納庫内の底部に配した冷却器（冷凍機のエバポレータ）に接続されている。なお、１４は本体キャビネット１の前面に配した外扉であり、平時は外扉１４を閉じている。
【００１０】
ここで、前記外扉１４を開放した上で、本体キャビネット１の前方から手動操作で上段側受台１２を手前に引き寄せると、図３で示すように上段側受台１２は台座１１のガイド溝１１ａに沿って機械室の前方に引き出される。これにより、広い作業スペースで冷凍機ユニット７の取付け，点検，交換作業を楽に行うことができる。なお、この移動時には下段側受台１３がガイドピン１３ａを介して上段側受台１２と一緒に前方に移動する。
一方、庫内の商品収納ラックに商品をローディングする際に、図４で示すように下段側受台１３を機械室の前方に引き出すことにより、この下段側受台１３を踏み台に利用して背の低い作業員でも背高な商品収納ラックの上部に商品を楽に装填でき、また補充商品の包装ケースをこの下段側受台１３の上に載せてローディング作業を行うこともできてユーザーの利便性が向上する。
また、図４の位置からさらに下段側受台１３を前方引き出すと、図５で示すようにガイドピン１３ａを介して上段側受台１２も一緒に前方に移動し、この位置で下段側受台１３の前端に組み付けておいた折り畳み式の支持脚１３ｂを伸ばすことにより受台を水平姿勢で本体キャビネット１の前方の床面上に支えることができる。この引出し状態では、重量物の冷凍機ユニット７を機械室に搬入，搬出する場合に、下段側受台１３を中継用受台に利用してに搬入，搬出作業を安全，かつ楽に行える。
【００１１】
なお、図示の実施例では、引出し式受台ユニット１０のスライド機構としてユニット部材にガイド溝，ガイドピンを設けているがこれに限定されるものではなく、例えば一般の引出し家具に適用する市販のスライドレールなどを採用して実施することもできる。そのほか、受座１１，上下段の受台１２，１３の各部材についても、その形状，および部材相互間の連繋構造を適宜に変更しても良い。
【符号の説明】
【００１２】
１：本体キャビネット
２：キャビネットの基板
７：冷凍機ユニット
１０：引出し式受台ユニット
１１：台座
１１ａ：ガイド溝
１２：上段側受台
１２ａ：ガイドピン
１２ｂ：ガイド溝
１３：下段側受台
１３ａ：ガイドピン
１３ｂ：支持棒
１４：外扉
【図１】
2011164697.tif 000003
【図２】
2011164697.tif 000004
【図３】
2011164697.tif 000005
【図４】
2011164697.tif 000006
【図５】
2011164697.tif 000007